(57)【要約】【課題】複数の燃焼部を有する燃焼器具において、同時燃焼時も運転上危険な状態に至る以前に不燃ガスの度合いを検出し、より正確に不完全燃焼を検出し、改善運転を実施する燃焼器具を提供する。【解決手段】燃焼部３、１２の燃焼状態を監視し、その各々の燃焼状態の組み合わせにより各々別に閾値経過時間を積算し、前記閾値経過時間に各々違う係数を乗じてトータルの閾値経過時間を算出しある任意の値以上かどうかで異常レベルを検知し、改善運転を実施することで燃焼状態の改善を図るという効果がある。【選択図】  図１
2005009814.tif 000002
【特許請求の範囲】
【請求項１】
複数の燃焼部と、前記燃焼部に空気を送り込むための複数のファンと、前記各燃焼部からの排気ガスを排気連結部で合流し外部に排出する排気集合筒と、前記排気集合筒に配設し排気ガス中の未燃ガスを検出する未燃ガス検出装置と、前記複数の燃焼部の燃焼量を任意に調節する燃焼量制御手段と、前記未燃ガス検出装置により検出された濃度と予め設定された数種類の閾値とを比較する濃度比較手段と、前記各燃焼部に設けた燃焼センサーからの信号により燃焼状態を監視する燃焼状態監視手段と、前記濃度比較手段の比較結果より異常レベルを判断し、改善運転をするかどうかを判定する異常レベル検出判定手段と、前記複数の燃焼部が同時に燃焼を行ったときの各々の改善ステップレベルを記憶する改善ステップレベル記憶手段Ａと、前記複数の燃焼部が単独で燃焼を行った時の各々の改善ステップレベルを記憶する改善ステップレベル記憶手段Ｂと、同時燃焼時に前記異常レベル検出判定手段により改善運転の指示があった場合、前記改善ステップレベル記憶手段Ｂの改善運転のステップ数が大きい方の燃焼部側のファンから、改善ステップレベル記憶手段Ａの改善レベルに応じて、ファン回転数を増減し、前記燃焼量制御手段からの燃焼量に対して、正常燃焼させるための回転数を算出するファン回転数算出手段と、前記ファン回転数算出手段からのファン回転数でファンを制御するファン回転数制御手段とからなる燃焼器具の安全制御装置。
【請求項２】
複数の燃焼部が同時燃焼時、異常レベル検出判定手段により改善運転の指示があった場合、最大燃焼量の大きい燃焼部側のファンから改善運転をすることを特徴とした請求項１記載の燃焼器具の安全制御装置。
【請求項３】
複数の燃焼部にそれぞれ燃焼量積算手段を設け、前記複数の燃焼部が同時燃焼時、異常レベル検出判定手段により改善運転の指示があった場合、燃焼開始から改善運転に移行する直前までの積算燃焼量の大きい方の燃焼部側のファンから改善運転をすることを特徴とした請求項１記載の燃焼器具の安全制御装置。
【請求項４】
複数の燃焼部が同時燃焼時、異常レベル検出判定手段により改善運転の指示があった場合、複数のファンを交互に改善運転をすることを特徴とした請求項１記載の燃焼器具の安全制御装置。
【請求項５】
複数の燃焼部が同時燃焼時、異常レベル検出判定手段により改善運転の指示があった場合、片方の燃焼部の燃焼量を最小燃焼量にし、未燃ガス検出装置により検出された濃度によりその変化量を判断し、どちらのファンから改善運転をするかを決める改善運転開始判定手段を設けたことを特徴とする請求項１記載の燃焼器具の安全制御装置。
【請求項６】
同時運転でなくなった場合に、同時燃焼時の改善ステップレベル記憶手段Ａの改善レベルをクリアすることを特徴とした請求項１〜５のいずれか１項に記載の燃焼器具の安全制御装置。
【請求項７】
同時燃焼時に改善ステップレベルＡが、ある任意の値以上になった場合、その異常の度合いにより異常状態をお知らせするための異常お知らせ手段を備えたことを特徴とする請求項１〜６のいずれか１項記載の燃焼器具の安全制御装置。
【請求項８】
改善ステップレベルＡが予め設定した最大レベルになり、ある任意の期間経過したことを判定し、不完全燃焼として燃焼を停止させる手段を備えたことを特徴とする請求項１〜７のいずれか１項記載の燃焼器具の安全制御装置。
【発明の詳細な説明】
【０００１】
【発明の属する技術分野】
本発明は、燃焼器具の安全制御装置に関するものである。
【０００２】
【従来の技術】
従来のこの種の燃焼器具の安全制御装置は、以下に示すものが一般的であった。この燃焼器具の安全制御装置は図１１示すように、ＣＯ検出手段と、ＣＯ濃度の判定値を算出するＣＯ濃度判定値演算手段と、ＣＯ濃度を予め設定されている基準値と比較して不完全燃焼を判定する手段と、前記判定手段の結果により燃焼を停止する手段とから構成されている。
【０００３】
上記ＣＯ濃度判定値演算手段は、ＣＯ濃度を予め下限値が設定された複数のランクに分級する手段と、各ランク毎にＣＯ濃度が検出されている時間を計測して積算する手段とを設け、上記不完全燃焼を判定する手段が前記積算値の少なくとも１つが、前記ランク毎に設定されている基準時間に達した時に不完全燃焼と判定するようになっていた（例えば、特開文献１参照）。
【０００４】
【特許文献１】
特開平７−１８０８３４号公報
【０００５】
【発明が解決しようとする課題】
しかしながら上記従来の燃焼器具の安全制御装置では、１つの燃焼部を有した燃焼器具において、未燃ガスを検出する未燃ガス検出装置を１つ備え、単独燃焼状態での不完全燃焼状態を検出し、器具の燃焼状態に応じて適切なタイミングで燃焼を停止させることはできるが、同様に２つの燃焼部を有した燃焼器具においても、未燃ガスを検出する未燃ガス検出装置が１つしかない場合、同時燃焼状態での不完全燃焼状態を検出し、器具の燃焼状態に応じて適切なタイミングで燃焼を改善し、危険に至る前に燃焼を停止させることが望まれていた。そのため、より効果的に性能よく燃焼の危険状態を検出し、回避する手段が望まれていた。
【０００６】
本発明は上記従来の課題を解決するもので、複数の燃焼部を有する燃焼器具において、燃焼器具からの排気に含まれる未燃ガスを検出する未燃ガス検出装置が１つしかない場合でも、同時燃焼時に、熱交換器を加熱する燃焼部の異常燃焼による危険に至る以前に、その異常の度合いを検出し、不完全燃焼状態を正常燃焼状態にするためにファン回転数を変更することによる改善運転を行い、適切なタイミングで燃焼運転を禁止させる燃焼器具の安全制御装置を提供するものである。
【０００７】
【課題を解決するための手段】
本発明は上記課題を解決するため、複数の燃焼部と、前記燃焼部に空気を送り込むための複数のファンと、前記各燃焼部からの排気ガスを排気連結部で合流し外部に排出する排気集合筒と、前記排気集合筒に配設し排気ガス中の未燃ガスを検出する未燃ガス検出装置と、前記複数の燃焼部の燃焼量を任意に調節する燃焼量制御手段と、前記未燃ガス検出装置により検出された濃度と予め設定された数種類の閾値とを比較する濃度比較手段と、前記各燃焼部に設けた燃焼センサーからの信号により燃焼状態を監視する燃焼状態監視手段と、前記濃度比較手段の比較結果より異常レベルを判断し、改善運転をするかどうかを判定する異常レベル検出判定手段と、前記複数の燃焼部が同時に燃焼を行ったときの各々の改善ステップレベルを記憶する改善ステップレベル記憶手段Ａと、前記複数の燃焼部が単独で燃焼を行った時の各々の改善ステップレベルを記憶する改善ステップレベル記憶手段Ｂと、同時燃焼時に前記異常レベル検出判定手段により改善運転の指示があった場合、前記改善ステップレベル記憶手段Ｂの改善運転のステップ数が大きい方の燃焼部側のファンから、改善ステップレベル記憶手段Ａの改善レベルに応じて、ファン回転数を増減し、前記燃焼量制御手段からの燃焼量に対して、正常燃焼させるための回転数を算出するファン回転数算出手段と、前記ファン回転数算出手段からのファン回転数でファンを制御するファン回転数制御手段を設けたものである。
【０００８】
上記発明によれば、同時燃焼時も異常レベル検出判定手段により異常レベルを検出し、改善運転が必要な不完全燃焼レベルに達した時は、単独運転時の各々の改善ステップレベル記憶手段Ｂに記憶されている改善レベルの高い方の燃焼部側のファンから改善運転を行うようにすることで、同時燃焼時も不完全燃焼状態を抑える改善運転が行え、未然ガスのレベルに応じてファンの回転数を増減することにより、その時の燃焼量に応じた適切な空気量にすることができ、不完全燃焼を防止し、正常燃焼状態での燃焼に改善することができる。
【０００９】
【発明の実施の形態】
請求項１記載の発明は、複数の燃焼部と、前記燃焼部に空気を送り込むための複数のファンと、前記各燃焼部からの排気ガスを排気連結部で合流し外部に排出する排気集合筒と、前記排気集合筒に配設し排気ガス中の未燃ガスを検出する未燃ガス検出装置と、前記複数の燃焼部の燃焼量を任意に調節する燃焼量制御手段と、前記未燃ガス検出装置により検出された濃度と予め設定された数種類の閾値とを比較する濃度比較手段と、前記各燃焼部に設けた燃焼センサーからの信号により燃焼状態を監視する燃焼状態監視手段と、前記濃度比較手段の比較結果より異常レベルを判断し、改善運転をするかどうかを判定する異常レベル検出判定手段と、前記複数の燃焼部が同時に燃焼を行ったときの各々の改善ステップレベルを記憶する改善ステップレベル記憶手段Ａと、前記複数の燃焼部が単独で燃焼を行った時の各々の改善ステップレベルを記憶する改善ステップレベル記憶手段Ｂと、同時燃焼時に前記異常レベル検出判定手段により改善運転の指示があった場合、前記改善ステップレベル記憶手段Ｂの改善運転のステップ数が大きい方の燃焼部側のファンから、改善ステップレベル記憶手段Ａの改善レベルに応じて、ファン回転数を増減し、前記燃焼量制御手段からの燃焼量に対して、正常燃焼させるための回転数を算出するファン回転数算出手段と、前記ファン回転数算出手段からのファン回転数でファンを制御するファン回転数制御手段を設けたことを特徴とするものである。
【００１０】
そして、同時燃焼時にも未燃ガス検出装置により検出された濃度とあらかじめ設定された数種類の閾値とを比較する濃度比較手段により異常レベルを検出し、異常レベル検出判定手段により改善運転の指示がでた場合は、単独燃焼状態での改善運転レベルの高い方の燃焼側のファンから改善運転を実施することにより、より迅速に効果的に同時燃焼時にも適切な改善運転を行うことができる。
【００１１】
前記ファン回転数制御手段により前記ファンの回転数を増加させることにより、未燃ガスのレベルに応じてファンの回転数を増減することにより適切な空気量にすることができ、不完全燃焼を防止できる。また、強風等の排気異常による不完全燃焼を防止することもできる。
【００１２】
請求項２記載の発明は、複数の燃焼部が同時燃焼時、異常レベル検出判定手段により改善運転の指示があった場合、最大燃焼量の大きい燃焼部側のファンから改善運転をすることを特徴としたものであり、同時燃焼時にも適切な改善運転を行うことができる。
【００１３】
請求項３記載の発明は、複数の燃焼部にそれぞれ燃焼量積算手段を設け、前記複数の燃焼部が同時燃焼時、異常レベル検出判定手段により改善運転の指示があった場合、燃焼開始から改善運転に移行する直前までの積算燃焼量の大きい方の燃焼部側のファンから改善運転をすることを特徴としたものであり、同時燃焼時にも適切な改善運転を行うことができる。
【００１４】
請求項４記載の発明は、複数の燃焼部が同時燃焼時、異常レベル検出判定手段により改善運転の指示があった場合、複数のファンを交互に改善運転をすることを特徴としたものであり、同時燃焼状態で使用される頻度が高い場合では、単独燃焼状態での改善運転の判定を行えないため、複数の燃焼部のどちらが不完全燃焼状態になっているか判断できないので、その場合は同時燃焼時に効果的に改善運転が提供できる。
【００１５】
請求項５記載の発明は、複数の燃焼部が同時燃焼時、異常レベル検出判定手段により改善運転の指示があった場合、片方の燃焼部の燃焼量を最小燃焼量にし、未燃ガス検出装置により検出された濃度によりその変化量を判断し、どちらのファンから改善運転をするかを決める改善運転開始判定手段を設けたことを特徴としたものであり、最大燃焼量の少ない方の運転の燃焼量を最小にして、未燃ガス検出装置による検出レベルに変化があるかどうかでどの燃焼部での不完全燃焼かを判定し、改善運転を実施することで効果的に改善運転を実施できる。
【００１６】
請求項６記載の発明は、同時運転でなくなった場合に、同時燃焼時の改善ステップレベル記憶手段Ａの改善レベルをクリアすることを特徴としたものであり、同時燃焼時の給湯、暖房各々の燃焼部の未燃ガスの濃度への影響度が正確には把握できないため、まだ危険でないのに早く異常を検知してしまい、燃焼を停止させてしまうといった早切れを防止することができる。
【００１７】
請求項７記載の発明は、同時燃焼時に改善ステップレベルＡが、ある任意の値以上になった場合、その異常の度合いにより異常状態をお知らせするための異常お知らせ手段を備えたことを特徴としたものであり、危険な状態を事前に回避できる。
【００１８】
請求項８記載の発明は、改善ステップレベルＡが予め設定した最大レベルになり、ある任意の期間経過したことを判定し、不完全燃焼として燃焼を停止させる手段を備えたことを特徴としたものであり、同時燃焼時に即座に危険を回避することができる。
【００１９】
【実施例】
以下、本発明の実施例について図面を用いて説明する。
【００２０】
（実施例１）
図１は本発明の実施例１におけるガスを燃料とする燃焼器具の構成図である。
【００２１】
図１において、１は給湯用熱交換器、２は給湯用バーナ３に燃焼用空気を供給し、前記給湯用バーナ３で発生した燃焼排気ガスを排出するための給湯用ファン、４は燃料供給用電磁弁、５は給湯用バーナ３のガス量を調整する給湯ガス比例弁、６は給水管３１に配した水量センサー、７は給湯用熱交換器１の出口温度を検出する給湯温度センサー、８は給湯用バーナ３の燃焼状態を検出する給湯燃焼センサー、９は燃焼排気ガスを外部に排出する為の給湯用排気筒、１０は暖房用熱交換器、１１は暖房用バーナ１２に燃焼用空気を供給し、前記バーナで発生した燃焼排気ガスを排出する暖房用ファン、１３は燃料供給用電磁弁、１４は暖房ガス量を調整する暖房ガス比例弁、１５は暖房水循環用のポンプ、１７は暖房用熱交換器１０の出口温度を検出する暖房温度センサー、１８は暖房用バーナ１２の燃焼状態を検出する暖房燃焼センサー、１９は燃焼排気ガスを外部に排出する為の暖房用排気筒、２０は給湯用排気筒９と暖房用排気筒１９とを連結する排気連結部、２１は排気連結部１９から排気ガスを外部に排出する排気集合筒、２３は制御装置、２４はリモコン、２５は暖房用循環路、２６は放熱器、２７は混合弁、３３は前記排気集合筒２１に配設し排気中の未燃ガスを検出する未燃ガス検出装置である。
【００２２】
次に、上記の如く構成された給湯器の動作、作用について説明すると、給湯用バーナ３の上方には給湯用熱交換器１が配設され、給水管３１から通水された水を水量センサー６で検出し、通水された水を給湯用熱交換器１を通すことにより燃焼熱によって加熱する。ガス供給管から燃料としてガス供給を受けるガス通路３２には途中にガス供給量を負荷に応じて比例的に調節する給湯用ガス比例弁５と燃焼量を切換えるための給湯用ガス切換弁２９を有し、給湯バーナ３に燃料を供給する。例えば、燃焼量の幅として負荷に応じて３７５０ｋｃａｌ／ｈから３６０００ｋｃａｌ／ｈの間の調整が可能である。
【００２３】
暖房用の回路でも同様に燃焼が行われ、熱量の幅としては例えば１０００ｋｃａｌ／ｈから１２０００ｋｃａｌ／ｈの調整が可能である。
【００２４】
給湯用熱交換器１と暖房用熱交換器１０の上部には燃焼排気ガスを外部に排出する為の給湯用排気筒９と暖房用排気筒１９があり、この両排気筒９、１９からの排気ガスを排気連結部２０で合流させ、排気集合筒２１から外部に排出する。
【００２５】
排気集合筒２１には未燃ガスを検出するための未燃ガス検出装置３３が取り付けられており、給湯・暖房トータルの排気ガスを検出することになる。
【００２６】
図２は上記給湯器の安全制御装置の構成を示すブロック図で、安全制御装置は制御装置２３に含まれている。
【００２７】
図２において４２は給湯・暖房の各々の切換弁２９、３０の開閉と比例弁５、１４の開閉度を調整しガスの燃焼量を調整する燃焼量制御手段、４３は未燃ガス検出装置３３で検出された濃度（出力値）と、あらかじめ設定された複数の閾値とを比較する濃度比較手段、４７は前記燃焼センサー８、１８からの信号により燃焼状態を監視する燃焼状態監視手段、４４は前記燃焼状態監視手段４７と前記濃度比較手段４３からの信号により燃焼状態別にあらかじめ設定された複数の閾値を設け、ある任意の時間経過したかどうかを判定することで異常状態を検出する異常レベル検出判定手段、４５は同時燃焼時、単独燃焼時の各々の燃焼運転での改善ステップレベル記憶手段Ａ、Ｂ、４６は改善ステップレベル記憶手段４５からのステップレベルに応じて、燃焼量制御手段４２の燃焼量に対して正常燃焼状態にするためのファンの回転数を算出するためのファン回転数算出手段、４８はファン回転数算出手段４６で算出したファン回転数にファン１、ファン２を制御するためのファン回転数制御手段である。
【００２８】
図３は本発明の実施例１における給湯器の動作を示すフローチャートである。
【００２９】
濃度比較手段４３で、未燃ガス検出装置３３により検出された濃度Ｘ（出力値）とあらかじめ設定された複数の閾値（閾値１、閾値２、閾値３）とを比較する、（Ｓ３、Ｓ５、Ｓ７）ここでの閾値レベルは閾値１＜閾値２＜閾値３の順に大きくなる。
【００３０】
異常レベル検出判定手段４４で、出力値Ｘがどの閾値レベル以上の状態かにより、その状態での閾値経過時間を積算する。燃焼状態監視手段４７からの信号により給湯と暖房の燃焼状態に従って給湯単独燃焼時、暖房単独燃焼時、同時燃焼時の３パターンに分類して各々燃焼状態に応じて閾値経過時間（Ａ１、Ａ２、Ａ３）を積算する（Ｓ４）。ここでの積算時間に対しては、燃焼状態に従って重み付けは変更してトータルの積算時間を算出するものとする。前記重み付けは実機で確認した最適値にする。例えば、同時燃焼時は１．０倍、給湯単独燃焼時は０．７５倍、暖房単独時は０．２５倍というように積算時間の重み付けを変更して不完全燃焼かどうかを判定するためのトータルの積算時間を算出する。
【００３１】
（トータル積算時間Ａ＝０．７５×Ａ１＋０．２５×Ａ２＋１．０×Ａ３）
そのトータルの積算時間がある任意であらかじめ設定している値を超えたかどうかで、改善運転をするかどうかの判定を行う（Ｓ９）。
【００３２】
次に、単独燃焼か同時燃焼かを判断する（Ｓ１０）。各々単独燃焼、同時燃焼で改善ステップレベルを記憶する手段４５を設ける。（同時用改善ステップレベル記憶手段（Ａ１、Ａ２）、単独用改善ステップレベル記憶手段（Ｂ１、Ｂ２））同時燃焼時は、不完全燃焼が改善されない時は１ステップレベルずつ改善レベルを大きくしていく。同時燃焼の状態で、異常レベル検出判定手段４４で改善運転が必要と判断された場合、まず単独運転での改善レベル数の大きい方（Ｂ１或いはＢ２の大きい方）の燃焼部側のファンの改善ステップレベル記憶手段Ａ４５でのステップレベルを１つ上げ、改善運転へ移行する（Ｓ１１）。
【００３３】
次に、ファン回転数算出手段４６で、燃焼量制御手段４２に対応した同時燃焼時用ファンの回転数に対し、改善ステップレベル記憶手段４５（Ｂ１、Ｂ２）で記憶している改善ステップレベル分のファンの回転数分と改善ステップレベル記憶手段４５（Ａ１、Ａ２）で記憶している改善ステップレベル分のファンの回転数分を上乗せしたファンの回転数Ｒを算出する。次に、ファン回転数制御手段４８で、前記ファン回転数Ｒになるようにファンの改善運転を行い、不完全燃焼状態を回避する。
【００３４】
以上のように、給湯と暖房の燃焼状態の組み合わせによりある閾値以上を検出した経過時間に係数を乗じて不完全燃焼を判定することにより器具の早切れを防止できる。また、同時燃焼時でも未燃ガスの汚染状態にバラツキがなく、適切なタイミングで改善運転させることができる。
【００３５】
前記動作フローでは単独燃焼か同時運転かで区別して、閾値経過時間を積算していたが、ガス切換弁の開閉状態に応じて各々別に閾値経過時間を積算してその切換弁の開閉状態に応じて重み付けをしてトータル経過時間を算出してもよい。
【００３６】
或いは給湯と暖房の燃焼量に従って給湯最大燃焼量（Ｒ１）と暖房最大燃焼量（Ｒ２）に対する、現在燃焼している給湯燃焼量（ｒ１）と暖房燃焼量（ｒ２）が最大燃焼量Ｒに対してどの割合にあるか（給湯燃焼比率＝ｒ１／Ｒ１、暖房燃焼比率＝ｒ２／Ｒ２）で分類して各々の燃焼量の割合に応じて閾値経過時間を積算し、各々燃焼量に応じて別々の係数を乗じて重み付けをしてトータル経過時間を算出してもよい。
【００３７】
（実施例２）
図４は本発明の実施例２の動作フローを示す。本実施例２において、実施例１と異なる点は給湯と暖房の同時燃焼時の改善運転に対して、最大燃焼量の大きい方、この場合は給湯側のファン２より改善運転を行うようにしたことである。
【００３８】
なお、実施例１と同一符号のものは同一構造を有し、説明は省略する。
【００３９】
次に動作、作用を説明すると、濃度比較手段４３で、未燃ガス検出装置３３により検出された濃度Ｘ（出力値）とあらかじめ設定された複数の閾値（閾値１、閾値２、閾値３）とを比較し、ある任意の値以上の経過時間に達した場合、異常レベル検出判定手段４４により、異常レベルを判定し、給湯側のファンの改善運転へ移行する。給湯側の同時用改善ステップレベルを１ステップ加算する。次に、ファン回転数算出手段４６で、燃焼量制御手段４２の燃焼量に応じた同時燃焼時給湯ファン回転数に改善用のステップレベル数に応じた給湯ファン回転数を上乗せしてファン回転数を算出する。そして、前記で算出した給湯ファン回転数になるようにファン回転数制御手段４８で給湯ファン回転数を制御し、給湯側の改善運転を実施する。
【００４０】
燃焼単独状態や同時燃焼の状態がどのように重なっても適切なタイミングで改善運転が実施できるという効果がある。改善運転によりファンの回転数を増加させることで空気の供給量が増し、燃焼器具の燃焼状態が改善でき、不完全燃焼状態のまま燃焼器具を燃焼させ続けるという状態を回避できる。
【００４１】
（実施例３）
図５は本発明の実施例３の動作フローを示す。本実施例３において、実施例１（または２）と異なる点は同時燃焼時の改善運転において、燃焼開始からの給湯・暖房各々のトータル燃焼量を積算する手段で改善運転を実施する時点までの燃焼量を積算し、その時点での燃焼量の大きい方の燃焼部側のファンの方から改善運転を実施するようにしたことである。
【００４２】
なお、実施例１と同一符号のものは同一構造を有し、説明は省略する。
【００４３】
次に動作、作用を説明すると、燃焼量積算手段５３により燃焼開始時点より、給湯、暖房各々の燃焼量の積算を行う（Ｓ３、Ｓ４）。次に濃度比較手段４３で、未燃ガス検出装置３３により検出された濃度Ｘ（出力値）とあらかじめ設定された複数の閾値（閾値１、閾値２、閾値３）とを比較し（Ｓ５、Ｓ７、Ｓ９）、ある任意の値以上の経過時間が合った場合、異常レベル検出判定手段４４により、異常レベルを判定し、改善運転へ移行する（Ｓ１１）。この時点で給湯・暖房の各々の燃焼量の大きい方のファンの同時運転用改善ステップレベルを１ステップ加算する（Ｓ１３）。次に、ファン回転数算出手段４６で、燃焼量制御手段４７の燃焼量に応じた同時燃焼用ファン回転数に改善用のステップレベル数に応じたファン回転数を上乗せしてファン回転数を算出する。そして、前記ファン回転数算出手段４６で算出したファン回転数になるようにファン回転数制御手段４８でファン回転数を制御し、改善運転を実施する。改善運転を実施後は、燃焼量積算手段５３の給湯、暖房各々の積算量をクリアし、その時点からの積算量を積算していく構成とする。
【００４４】
以上のようにすることで、運転をがどのように変化しても器具の燃焼状態に応じて適切なタイミングで改善運転を実施させることができる。異常レベル検出判定手段により、異常レベルを判定するまでに給湯・暖房の各々の燃焼量がどのように変化しても器具の燃焼状態に応じて適切なタイミングで改善運転を実施させることができる。
【００４５】
（実施例４）
図６は本発明の実施例４の動作フローを示す。
【００４６】
以下その動作、作用を説明する。
【００４７】
濃度比較手段４３で、未燃ガス検出装置３３により検出された濃度Ｘ（出力値）とあらかじめ設定された複数の閾値（閾値１、閾値２、閾値３）とを比較し、ある任意の値以上の経過時間に達した場合、異常レベル検出判定手段４４により、異常レベルを判定し、改善運転へ移行する。改善運転に移行するタイミングが同時燃焼状態であった場合、燃焼継続中の改善運転の回数が偶数回目か奇数回目かで交互に給湯ファンと暖房ファンの改善運転を実施する。
【００４８】
以上のようにすることで、燃焼単独状態や同時燃焼の状態がどのように重なっても適切なタイミングで改善運転が実施できるという効果がある。改善運転によりファンの回転数を増加させることで空気の供給量が増し、燃焼器具の燃焼状態が改善でき、不完全燃焼状態のまま燃焼器具を燃焼させ続けるという状態を回避できる。
【００４９】
（実施例５）
図７は本発明の実施例５の動作フローを示す。
【００５０】
以下その動作、作用を説明する。
【００５１】
濃度比較手段４３で、未燃ガス検出装置３３により検出された濃度Ｘ（出力値）とあらかじめ設定された複数の閾値（閾値１、閾値２、閾値３）とを比較（Ｓ３、Ｓ５、Ｓ７）し、ある任意の値以上の経過時間に達した場合、異常レベル検出判定手段４４により、異常レベルを判定（Ｓ９）し、改善運転へ移行する。前記改善運転に移行する前に、まず給湯側、暖房側どちらのファンの改善ステップレベルＡを加算するかの判定を行う。まず、暖房用ガス切換弁３０を閉じ、暖房ガス比例弁１４を調整し暖房側の燃焼量を最小に制御する（Ｓ１０）。次にその時点での未燃ガス検出装置３３により検出された濃度（出力値）の変化を確認し、どちらの燃焼部が不完全燃焼になっているかを判断する（Ｓ１１）。判断した結果の方のファンの同時用改善ステップレベル（Ａ１或いはＡ２）を１ステップ加算する（Ｓ１２）。次に、ファン回転数算出手段４６で、燃焼量制御手段４２の燃焼量に応じた同時燃焼時ファン回転数に改善用のステップレベル数に応じたファン回転数を上乗せしてファン回転数を算出する。そして、前記で算出したファン回転数になるようにファン回転数制御手段４８でファン回転数を制御し、改善運転を実施する。
【００５２】
以上のようにすることで、燃焼単独状態や同時燃焼の状態がどのように重なっても適切なタイミングで改善運転が実施できるという効果がある。改善運転によりファンの回転数を増加させることで空気の供給量が増し、燃焼器具の燃焼状態が改善でき、不完全燃焼状態のまま燃焼器具を燃焼させ続けるという状態を回避できる。
【００５３】
（実施例６）
図８は本発明の実施例６の燃焼器具の安全装置のブロック図を示す。図８において、５０は改善ステップレベル記憶クリア手段である。なお、実施例１と同一符号のものは同一構造を有し、説明は省略する。
【００５４】
以上のように構成された燃焼器具の安全制御装置について、以下その動作、作用を説明する。
【００５５】
濃度比較手段４３で、未燃ガス検出装置３３により検出された濃度Ｘ（出力値）とあらかじめ設定された複数の閾値（閾値１、閾値２、閾値３）とを比較し、ある任意の値以上の経過時間に達した場合、異常レベル検出判定手段４４により、異常レベルを判定し、改善運転へ移行する。同時燃焼で燃焼継続中は改善運転への移行レベルに達するたびに給湯側或いは暖房側の同時用の改善ステップレベルを１ステップずつ加算していく。
【００５６】
次に、ファン回転数算出手段４６で、燃焼量制御手段４２の燃焼量に応じたファン回転数に改善用のステップレベル数に応じたファン回転数を上乗せして適切なファン回転数を算出する。そして、前記ファン回転数算出手段４６で算出したファン回転数になるようにファン回転数制御手段４８でファン回転数を制御し、改善運転を実施する。
【００５７】
同時燃焼状態でなくなった時点で、同時用改善ステップレベル記憶手段の改善レベルＡをクリアすることで、同時燃焼時の給湯・暖房各々の燃焼部の未燃ガスの濃度への影響度が正確には把握できないため、まだ危険でないのに早く異常を検知してしまい、燃焼を停止させてしまうといった早切れを防止することができる。
【００５８】
（実施例７）
図９は本発明の実施例７の燃焼器具の安全装置のブロック図を示す。図９において、５１は異常お知らせ手段である。なお、実施例１と同一符号のものは同一構造を有し、説明は省略する。
【００５９】
以上のように構成された燃焼器具の安全制御装置について、以下その動作、作用を説明する。未燃ガス検出装置３３により検出された濃度があらかじめ設定された数種類の閾値をあらかじめ定めた時間（判定時間）経過した場合、どの閾値を超えた不完全燃焼レベルかにより異常お知らせ手段５１により、異常の内容を知らせる。例えばここでの設定した判定時間は、燃焼を禁止する時に判定するために使用する判定時間よりも短い値で設定して、事前に報知することで換気をうながしたり、器具の内部或いは外部に障害物等ある場合は取り除いてもらうことができる。燃焼異常をお知らせする手段としては、ＬＥＤ、音声、文字、音等が考えられる。
【００６０】
（実施例８）
図１０は本発明の実施例８の燃焼器具の安全装置のブロック図を示す。図１０において５２は燃焼停止手段である。なお、実施例１と同一符号のものは同一構造を有し、説明は省略する。
【００６１】
以上のように構成された燃焼器具の安全制御装置について、以下その動作、作用を説明する。
【００６２】
濃度比較手段４３で、未燃ガス検出装置３３により検出された濃度Ｘ（出力値）とあらかじめ設定された複数の閾値（閾値１、閾値２、閾値３）とを比較し、ある任意の値以上の経過時間に達した場合、異常レベル検出判定手段４４により、異常レベルを判定し、改善運転へ移行する。同時燃焼で燃焼継続中は改善運転への移行レベルに達するたびに給湯側或いは暖房側の同時用の改善ステップレベルを１ステップずつ加算していく。同時燃焼時の改善ステップレベルがあらかじめ設定してある最大レベル値になった時点から、一定時間経過した場合は燃焼を強制的に禁止させる。
【００６３】
このようにすることで、同時燃焼中でも危険な状態に至る以前のタイミングで効果的に燃焼の危険状態を検出し、燃焼を停止させることができる。
【００６４】
【発明の効果】
以上説明したように本発明の請求項１〜５に係る燃焼器具の安全制御装置は、燃焼単独状態や同時燃焼の状態がどのように重なっても適切なタイミングで改善運転が実施できるという効果がある。改善運転によりファンの回転数を増加させることで空気の供給量が増し、燃焼器具の燃焼状態が改善でき、不完全燃焼状態のまま燃焼器具を燃焼させ続けるという状態を回避できる。
【００６５】
また、請求項６に係る燃焼器具の安全制御装置は、同時燃焼状態でなくなった時点で、改善ステップレベル記憶手段の改善レベルＡをクリアすることで、同時燃焼時の給湯・暖房各々の燃焼部の未燃ガスの濃度への影響度が正確には把握できないため、まだ危険でないのに早く異常を検知してしまい、燃焼を停止させてしまうといった早切れを防止することができる。
【００６６】
また、請求項７に係る燃焼器具の安全制御装置は、異常をいち早くお知らせすることで、危険な状態を回避できる。
【００６７】
また、請求項８に係る燃焼器具の安全制御装置は、同時燃焼時においても適切なタイミングで燃焼を停止させることができるという効果がある。
【図面の簡単な説明】
【図１】本発明の実施例１における燃焼器具の構成図
【図２】同燃焼器具の安全制御装置のブロック図
【図３】同燃焼器具の安全制御装置の動作を示すフローチャート
【図４】本発明の実施例２における動作を示すフローチャート
【図５】本発明の実施例３における動作を示すフローチャート
【図６】本発明の実施例４における動作を示すフローチャート
【図７】本発明の実施例５における動作を示すフローチャート
【図８】本発明の実施例６の安全制御装置のブロック図
【図９】本発明の実施例７の安全制御装置のブロック図
【図１０】本発明の実施例８の安全制御装置のブロック図
【図１１】従来の燃焼機器の不完全燃焼検出装置のブロック図
【符号の説明】
２  給湯用ファン
３  給湯用バーナ
９  給湯用排気筒
１１  暖房用ファン
１２  暖房用バーナ
１９  暖房用排気筒
２０  排気連結部
２１  排気集合筒
２３  制御装置（安全制御装置）
３３  未燃ガス検出装置
４２  燃焼量制御手段
４３  濃度比較手段
４４  異常レベル検出判定手段
４５  改善ステップレベル記憶手段
４６  ファン回転数算出手段
４７  燃焼状態監視手段
４８  ファン回転数制御手段
４９  燃焼量制御手段
【図１】
2005009814.tif 000003
【図２】
2005009814.tif 000004
【図３】
2005009814.tif 000005
【図４】
2005009814.tif 000006
【図５】
2005009814.tif 000007
【図６】
2005009814.tif 000008
【図７】
2005009814.tif 000009
【図８】
2005009814.tif 000010
【図９】
2005009814.tif 000011
【図１０】
2005009814.tif 000012
【図１１】
2005009814.tif 000013